【事件の表示】
　特願２００１−３６１８４１「水溶性ビタミンＣ誘導体含有外用剤及びその製造方法並びにその使用方法」拒絶査定不服審判事件〔平成１５年　６月　３日出願公開、特開２００３−１６０４２８〕について、次のとおり審決する。
【結　論】
　本件審判の請求は、成り立たない。
【理　由】
１．手続の経緯・本願発明
　本願は、平成１３年１１月２８日の出願であって、その請求項７に係る発明は平成１８年７月１３日付け手続補正書により補正された特許請求の範囲の請求項７に記載された次の事項により特定されるとおりのものと認める。（以下、本願発明という。）
「ビタミンＣ誘導体粉末をマイナスイオン水に溶解し、当該ビタミンＣ誘導体を高濃度に水溶液として安定化させてなり、前記安定化は、乳酸、クエン酸、水酸化Ｎａによる組み合わせにより、中性から弱アルカリ性とし、さらにより安定させることを特徴とする、ビタミンＣ誘導体含有外用剤の製造方法。」
　
２．引用例の記載事項
　原査定の拒絶の理由に引用した特開２０００−３５１９０５号公報（以下、引用例という。）には、以下の事項が記載されている。
(1)「【請求項１】アルカリイオン水中に、下記一般式（Ｉ）  （式は省略）で表されるアスコルビン酸誘導体またはその塩の少なくとも１種を含有する組成物であって、ただしイオン導入液組成物ではないことを特徴とする高安定型アスコルビン酸誘導体含有組成物。」（特許請求の範囲）
(2)「本発明は、アルカリイオン水にアスコルビン酸誘導体またはその塩を溶解することにより安定化した、アスコルビン酸誘導体含有アルカリイオン水水溶液またはその水分散液（イオン導入液組成物を除く）に関する。」（【０００１】）
(3)「アスコルビン酸の誘導体は一般にアルカリ性で安定であり、従来は水酸化ナトリウムやアルカリ性の有機酸を添加し組成物の水溶液をアルカリに調整していた。しかし、水溶液のｐＨが９以下ではアスコルビン酸の誘導体は十分な安定性を保てず着色等の問題が発生し、さらにｐＨ９以上では生体毒性が高まり広範な用途に使用できないという問題があった。」（【０００５】）
(4)「本発明の高安定型アスコルビン酸誘導体組成物（イオン導入液組成物を除く）へのアルカリイオン水溶液中のアスコルビン酸誘導体又はその塩の添加量は、０.０１ 〜５０重量％であり、好ましくは０.１〜２０重量％である。」（【００２６】）
(5)「本発明において溶媒として使用されるアルカリイオン水は、ｐＨ値は８〜１４がよく、好ましくは９〜１３である。」（【００２７】）
(6)「本発明のアスコルビン酸誘導体含有組成物（イオン導入液組成物を除く）の剤型に特に制限はなく、具体的にはクリーム、ローション、化粧水、ジェル、スプレー、パウダー、ハップ剤、浴用剤、育毛養毛剤、シャンプー、リンス、パック、ドリンクまたは点眼剤などが挙げられる。」（【００２９】）
(7)「水道水１リットルから市販の隔膜電解法式イオン水生成器を使用して、アルカリイオン水１リットルを調製した。ｐＨ値は９〜１３の間であった。これに、Ｌ−アスコルビン酸リン酸エステルナトリウム（以下、（ＡＰＳ）という。）５０ｇを加えてよく攪拌、溶解し５重量％のＬ−アスコルビン酸リン酸エステルＮａアルカリイオン水溶液を得るた。このとき、ｐＨ値は１１であった。このようにして、安定なアルカリイオン水の溶液に溶解したイオン組成物を除く安定なアスコルビン酸誘導体含有組成物を得た。」（【００３４】）
(8) クリームや乳液、化粧水等の処方例が記載されている。（【００３６】〜【００４９】）
(9)５.０ 重量％アスコルビン酸誘導体含有溶液のオートクレーブを用いた安定性試験の結果、アルカリイオン水を用いたＡＰＳの方が蒸留水を用いたＡＰＳより安定性が高いこと（【００５３】〜【００５４】）
　                         　
３．対比・判断
　引用例に記載されたアスコルビン酸誘導体含有組成物は、イオン導入液組成物を除くものであるが、本願発明は「イオン導入組成物」には当たらないので、以下、引用例に記載されたアスコルビン酸誘導体含有組成物について言及する場合、「イオン導入液組成物を除くものである」ことは記載を省略する。
　
　アスコルビン酸の誘導体は、一般にアルカリ性で安定であり、従来は水酸化ナトリウムやアルカリ性の有機酸を添加し組成物の水溶液をアルカリに調整していたが、水溶液のｐＨが９以下ではアスコルビン酸の誘導体は十分な安定性を保てず着色等の問題が発生し、さらにｐＨ９以上では生体毒性が高まり広範な用途に使用できないという問題があった。引用例には、水として、アルカリイオン水を採用することによりこの問題を解決する高安定型アスコルビン酸誘導体含有組成物の発明が記載されている。（上記(1)〜(5)、(9)）
　そして、高安定型アスコルビン酸誘導体含有組成物の製造方法として、アルカリイオン水１リットルに、Ｌ−アスコルビン酸リン酸エステルナトリウム（以下、（ＡＰＳ）という。）５０ｇを加えてよく攪拌、溶解し５重量％のＬ−アスコルビン酸リン酸エステルＮａアルカリイオン水溶液とする方法が記載されている（上記(7)）。
　したがって、引用例には「アスコルビン酸誘導体を、アルカリイオン水に溶解し水溶液とする高安定型アスコルビン酸誘導体含有組成物の製造方法」（以下、「引用発明」という。）が記載されている。
　
　本願発明と引用発明を対比する。
　前者のビタミンＣ誘導体、マイナスイオン水は、それぞれ後者のアスコルビン酸誘導体、アルカリイオン水に相当する。
　そして、前者の「当該ビタミンＣ誘導体を高濃度に水溶液として」の「高濃度」とは、本願明細書の記載によれば、３％〜２０％、好ましくは５％〜１０％（【００６３】）であり、一方、引用例の製造例ではアスコルビン酸誘導体の５重量％水溶液を製造している（上記(7)）。すなわち、ビタミンＣ誘導体の濃度において、後者の具体例の濃度は、前者の「高濃度」に含まれる濃度である。
　また、前者の外用剤は、組成物の一形態である。
　したがって、両者は、「ビタミンＣ誘導体をマイナスイオン水に溶解し、当該ビタミンＣ誘導体を高濃度に水溶液として安定化させてなる、ビタミンＣ誘導体含有組成物の製造方法。」である点で一致し、
（相違点１）マイナスイオン水に溶解されるビタミンＣ誘導体の形態が、前者では粉末であるのに対して、後者では特定されていない点
（相違点２）前者は、「安定化は、乳酸、クエン酸、水酸化Ｎａによる組み合わせにより、中性から弱アルカリ性とし、さらにより安定させる」ものであるが、後者には、この点が記載されていない点
（相違点３）ビタミンＣ誘導体含有組成物が、前者では外用剤であるのに対して、後者には、この点が特定されていない点
で相違する。
　
　これらの相違点について検討する。
（相違点１について）
　ビタミンＣ誘導体は通常結晶又は結晶性の粉末である。したがって、相違点１は実質的な相違点ではない。
　
（相違点２及び３について）
　引用例には、引用発明のアスコルビン酸誘導体含有組成物の剤型に特に制限はなく、具体的にはクリーム、ローション、化粧水、ジェル、スプレー、パウダー、ハップ剤、浴用剤、育毛養毛剤、シャンプー、リンス、パック、ドリンクまたは点眼剤などが挙げられると説明され（上記(6)）、実施例としてクリーム、乳液、化粧水、養毛剤等の処方例が記載されている（上記(6)）。したがって、引用発明のアスコルビン酸誘導体含有組成物を外用剤とすることは当業者が容易に想到し得ることである。
　そして、皮膚に適用するクリームや乳液、化粧水等の外用剤とする場合に、皮膚は弱酸性であるから外用剤は皮膚との関係では弱酸性であることが望ましいが、一方、アスコルビン酸誘導体はアルカリ性で安定であるから、外用剤を中性から弱アルカリ性とすることは、当業者が容易に想到し得ることである。
　ところで、本願発明の「安定化は、乳酸、クエン酸、水酸化Ｎａによる組み合わせにより、中性から弱アルカリ性とし、さらにより安定させる」との特定事項について、本願明細書には「外用剤殊に化粧品成分に使用し得るように酸性とした後、水酸化Ｎａにより中性から弱アルカリ性、好ましくはｐＨ７．５に調整し、その安定性を確保したものである。」（【００２１】）、「乳酸、クエン酸により酸性とした後、水酸化ＮａによりｐＨ７．５に調整し」（【００２４】）と説明されている。
　さて、引用発明において、外用剤を中性から弱アルカリ性とするに際して、乳酸、クエン酸は化粧料用のｐＨ調整剤として周知の酸であり、水酸化Ｎａは、化粧料用のｐＨ調整剤として周知のアルカリであり、ｐＨの具体的な調整手法として、乳酸、クエン酸により酸性とした後で、水酸化Ｎａで中性から弱アルカリとすることは、当業者が適宜なし得ることである。
　
　そして、本願明細書の記載からは、本願発明が当業者が予測できない効果を奏するものとは認められない。　
　　
４．むすび
　以上のとおりであるから、本願発明は、引用例に記載された発明に基づいて当業者が容易に発明をすることができたものであり、特許法第２９条第２項の規定により特許を受けることができない。
　
　よって、結論のとおり審決する。